(57)【要約】【課題】外壁パネル間の目地幅が大きくなった場合でも、比較的簡易な作業で止水性能を確保することができる目地止水構造を提供する。【解決手段】建物は、複数の建物ユニット２０が互いに結合されてなる。隣り合う建物ユニット２０の外壁パネル１６間の目地３１にはガスケット３６が設けられている。目地３１には、スペーサ部４１と弾性保持部４２とを有するスペーサ部材４０が設けられている。スペーサ部４１は、目地３１を挟んで対向する各対向面３５Ａ，３５Ｂのうち一方の対向面３５Ａに重ねて設けられている。弾性保持部４２は、各対向面３５の間に挟み込まれて設けられ、その挟み込みによって弾性変形した状態で保持されている。スペーサ部４１は、弾性保持部４２よりも屋外側に延出した屋外側延出部４７を有し、その屋外側延出部４７と他方の対向面３５Ｂとの間にガスケット３６が配設されている。【選択図】      図１
2014177772.tif 000002
【特許請求の範囲】
【請求項１】
隣り合う外壁パネル間の目地に、当該目地に沿ってガスケットが設けられ、そのガスケットによって屋内側への水の浸入を阻止する目地止水構造であって、
前記目地には、スペーサ部材が設けられており、
前記スペーサ部材は、
前記目地に沿って延びる長尺平板状をなし、前記隣り合う外壁パネルにおいて前記目地を挟んで対向する各対向面のうち一方の対向面に重ねて設けられたスペーサ部と、
前記各対向面の間に挟み込まれて設けられ、その挟み込みによって弾性変形した状態で保持された弾性保持部と、を有しており、
前記スペーサ部は、前記弾性保持部よりも屋外側に延出した屋外側延出部を有しており、
前記ガスケットは、前記各対向面のうち他方の対向面と前記屋外側延出部との間に配設されていることを特徴とする目地止水構造。
【請求項２】
前記弾性保持部は、前記スペーサ部の板面に設けられ、その板面と前記他方の対向面との間に挟み込まれていることを特徴とする請求項１に記載の目地止水構造。
【請求項３】
前記スペーサ部と前記弾性保持部とは別体として形成されており、
前記スペーサ部及び前記弾性保持部のうち一方が凸部を有し、他方が凹部を有しており、
これら凸部及び凹部の嵌合によって、前記スペーサ部及び前記弾性保持部が一体化されていることを特徴とする請求項１又は２に記載の目地止水構造。
【請求項４】
前記スペーサ部は、前記凸部及び前記凹部のうち一方を有し、その一方が前記スペーサ部の長手方向に延びるように形成されており、
前記弾性保持部は、前記スペーサ部の長手方向に所定の間隔で複数配置されており、
それら各弾性保持部はそれぞれ前記凹部及び前記凸部のうちの他方を有しており、その他方を前記スペーサ部の前記一方に嵌合させて当該スペーサ部に取り付けられていることを特徴とする請求項３に記載の目地止水構造。
【請求項５】
前記スペーサ部は、前記弾性保持部よりも屋内側に延出した屋内側延出部を有していることを特徴とする請求項１乃至４のいずれか一項に記載の目地止水構造。
【請求項６】
前記弾性保持部は、前記目地の延びる方向と直交する方向の断面が楕円形状をなしていることを特徴とする請求項１乃至５のいずれか一項に記載の目地止水構造。
【請求項７】
前記弾性保持部は、前記スペーサ部の長手方向に延びるように形成されており、
前記ガスケットは、前記弾性保持部に屋外側から当接させて設けられ、その当接によって屋内側への入り込みが規制されていることを特徴とする請求項１乃至６のいずれか一項に記載の目地止水構造。
【請求項８】
前記スペーサ部材は、前記スペーサ部と前記一方の対向面との間に挟み込まれて設けられた止水シートを有していることを特徴とする請求項１乃至７のいずれか一項に記載の目地止水構造。
【請求項９】
梁及び柱を有する直方体状の枠体と、その枠体の側面に設けられた前記外壁パネルとを備える複数の建物ユニットが互いに連結されてなるユニット式の建物に適用され、
隣り合う建物ユニットの前記外壁パネル間の目地に前記ガスケットが前記スペーサ部材を用いて配設されていることを特徴とする請求項１乃至８のいずれか一項に記載の目地止水構造。
【発明の詳細な説明】
【技術分野】
【０００１】
本発明は、目地止水構造に関する。
【背景技術】
【０００２】
住宅等の建物において、複数の外壁パネルが並べて設けられることで外壁が構成される場合、隣り合う外壁パネルの間には目地が形成される。目地には、当該目地を通じて屋内側へ雨水等の水が浸入するのを阻止するために止水部材が設けられる。止水部材としては、例えばゴム材等からなる長尺状のガスケット（定形シール）が用いられる。ガスケットは、目地に挿入されて両側の外壁パネルに挟み込まれた状態で設けられる（例えば特許文献１参照）。
【先行技術文献】
【特許文献】
【０００３】
【特許文献１】特開２０００−２７３２４号公報
【発明の概要】
【発明が解決しようとする課題】
【０００４】
ところで、複数の外壁パネルよりなる上述の外壁構造では、施工時における外壁パネルの組み付けばらつきや、外壁パネル自体の寸法ばらつき等によって、外壁パネル間の目地幅が大小変動することが想定される。例えば、目地幅がガスケットの幅に対応した所定寸法よりも大きくなってしまう場合が想定される。その場合、ガスケットによる止水効果が不十分となって、屋内側への水の浸入を招いてしまうおそれがあるため、外壁パネルを再度組み付け直して、目地幅を所定寸法に調整する必要が生じる。しかしながら、かかる組み直しの作業は大きな手間がかかると考えられ、その改善が求められる。
【０００５】
本発明は、上記事情に鑑みてなされたものであり、外壁パネル間の目地幅が大きくなった場合でも、比較的簡易な作業で止水性能を確保することができる目地止水構造を提供することを主たる目的とするものである。
【課題を解決するための手段】
【０００６】
上記課題を解決すべく、第１の発明の目地止水構造は、隣り合う外壁パネル間の目地に、当該目地に沿ってガスケットが設けられ、そのガスケットによって屋内側への水の浸入を阻止する目地止水構造であって、前記目地には、スペーサ部材が設けられており、前記スペーサ部材は、前記目地に沿って延びる長尺平板状をなし、前記隣り合う外壁パネルにおいて前記目地を挟んで対向する各対向面のうち一方の対向面に重ねて設けられたスペーサ部と、前記各対向面の間に挟み込まれて設けられ、その挟み込みによって弾性変形した状態で保持された弾性保持部と、を有しており、前記スペーサ部は、前記弾性保持部よりも屋外側に延出した屋外側延出部を有しており、前記ガスケットは、前記各対向面のうち他方の対向面と前記屋外側延出部との間に配設されていることを特徴とする。
【０００７】
本発明によれば、隣り合う外壁パネル間の目地においてスペーサ部材が、そのスペーサ部を、目地を挟んで対向する各対向面のうちの一方の対向面に重ねた状態で配設されており、そしてそのスペーサ部（屋外側延出部）と他方の対向面との間にガスケットが配設されている。この場合、外壁パネルの組み付けばらつき等によって、外壁パネルの目地幅がガスケットの幅に対応した所定寸法よりも大きくなってしまった場合でも、スペーサ部と他方の対向面との間の隙間の幅を所定寸法に設定することで、ガスケットによる止水効果を十分に発揮させることが可能となる。
【０００８】
また、スペーサ部材は、その弾性保持部が各対向面の間で挟み込まれることにより保持されているため、スペーサ部材を目地に取り付ける（保持させる）際には、スペーサ部材を屋外側から目地に挿入し弾性保持部を対向面間に挟み込ませるだけでよい。これにより、外壁パネル間の目地幅が大きくなった場合でも、外壁パネルを組み直すことで目地幅を調整する場合と比べて、簡単な作業で目地の止水性能を確保することができる。
【０００９】
第２の発明の目地止水構造は、第１の発明において、前記弾性保持部は、前記スペーサ部の板面に設けられ、その板面と前記他方の対向面との間に挟み込まれていることを特徴とする。
【００１０】
本発明によれば、弾性保持部がスペーサ部の板面に設けられ、その板面と他方の対向面との間で弾性変形した状態で挟み込まれているため、その弾性力によってスペーサ部を一方の対向面に押し付けることができる。これにより、スペーサ部を一方の対向面に密着させることができ、それら両者間を通じた屋内側への水の浸入を好適に抑制することができる。
【００１１】
第３の発明の目地止水構造は、第１又は第２の発明において、前記スペーサ部と前記弾性保持部とは別体として形成されており、前記スペーサ部及び前記弾性保持部のうち一方が凸部を有し、他方が凹部を有しており、これら凸部及び凹部の嵌合によって、前記スペーサ部及び前記弾性保持部が一体化されていることを特徴とする。
【００１２】
本発明によれば、スペーサ部と弾性保持部とが互いの凸部及び凹部の嵌合によって一体化されているため、スペーサ部と弾性保持部とをそれぞれ個別に保管しておき、施工現場でそれら両者を一体化させてスペーサ部材を形成（製造）することが可能となる。このように、スペーサ部と弾性保持部とを個別に保管することは、スペーサ部材を保管する上で好都合となる。例えば、スペーサ部を重ね合わせて保管することができ、保管スペースの削減等が図れる。
【００１３】
第４の発明の目地止水構造は、第３の発明において、前記スペーサ部は、前記凸部及び前記凹部のうち一方を有し、その一方が前記スペーサ部の長手方向に延びるように形成されており、前記弾性保持部は、前記スペーサ部の長手方向に所定の間隔で複数配置されており、それら各弾性保持部はそれぞれ前記凹部及び前記凸部のうちの他方を有しており、その他方を前記スペーサ部の前記一方に嵌合させて当該スペーサ部に取り付けられていることを特徴とする。
【００１４】
ところで、弾性保持部の長さが長い場合等には、スペーサ部材を目地に挿入する際に弾性保持部が抵抗となって挿入がしづらくなる場合が想定される。そこで本発明では、この点に鑑みて、弾性保持部をスペーサ部の長手方向に所定間隔で複数配置し、それら各弾性保持部をそれぞれスペーサ部に対して凸部及び凹部の嵌合により取り付けられるようにしている。この場合、弾性保持部の個数（又は取付間隔）を調整することにより、スペーサ部材を目地に挿入する際の抵抗の大きさを調整することができ、その結果スペーサ部材の目地への挿入作業を好適に行うことが可能となる。
【００１５】
第５の発明の目地止水構造は、第１乃至第４のいずれかの発明において、前記スペーサ部は、前記弾性保持部よりも屋内側に延出した屋内側延出部を有していることを特徴とする。
【００１６】
本発明によれば、スペーサ部に弾性保持部よりも屋内側に延出した屋内側延出部が設けられているため、スペーサ部材を目地に挿入する際には、その屋内側延出部を挿入先として挿入することができる。この場合、弾性保持部を挿入先としてスペーサ部材を目地に挿入する場合と比べて、目地に対するスペーサ部材の配設作業をし易くすることができる。
【００１７】
第６の発明の目地止水構造は、第１乃至第５のいずれかの発明において、前記弾性保持部は、前記目地の延びる方向と直交する方向の断面が楕円形状をなしていることを特徴とする。
【００１８】
本発明によれば、弾性保持部の断面が楕円形状をなしているため、スペーサ部材を目地に挿入する際、弾性保持部が対向面等で引っ掛かるのを抑制することができ、その挿入作業をし易くすることができる。
【００１９】
第７の発明の目地止水構造は、第１乃至第６のいずれかの発明において、前記弾性保持部は、前記スペーサ部の長手方向に延びるように形成されており、前記ガスケットは、前記弾性保持部に屋外側から当接させて設けられ、その当接によって屋内側への入り込みが規制されていることを特徴とする。
【００２０】
本発明によれば、目地にスペース部材を配設した状態で、屋外側からガスケットをスペーサ部の屋外側延出部と他方の対向面との間に挿入する際、ガスケットを弾性保持部に屋外側から当接させることでそれ以上ガスケットが屋内側に入り込むことを規制することができる。これにより、目地に対するガスケットの挿入作業をし易くすることができる。
【００２１】
第８の発明の目地止水構造は、第１乃至第７のいずれかの発明において、前記スペーサ部材は、前記スペーサ部と前記一方の対向面との間に挟み込まれて設けられた止水シートを有していることを特徴とする。
【００２２】
本発明によれば、スペーサ部と一方の対向面との間に止水シートが挟み込まれているため、スペーサ部と一方の対向面との間を通じた屋内側への水の浸入を確実に防止することができる。
【００２３】
また、本発明に第２の発明を適用すれば、弾性保持部の弾性力を利用して止水シートをスペーサ部と一方の対向面との間で挟み込むことができるため、それら両者間を通じた屋内側への水の浸入をより一層確実に防止することができる。
【００２４】
第９の発明の目地止水構造は、第１乃至第８のいずれかの発明において、梁及び柱を有する直方体状の枠体と、その枠体の側面に設けられた前記外壁パネルとを備える複数の建物ユニットが互いに連結されてなるユニット式の建物に適用され、隣り合う建物ユニットの前記外壁パネル間の目地に前記ガスケットが前記スペーサ部材を用いて配設されていることを特徴とする。
【００２５】
ユニット式建物では、柱及び梁を有する枠体の側面に外壁パネルが設けられた建物ユニットが予め製造工場にて製造され、その製造された建物ユニットが施工現場で互いに連結されることにより建物が構築される。このような建物では、隣り合う建物ユニットの外壁パネル間の目地の幅にばらつきが生じ易いと考えられ、そのため目地幅が大きくなって外壁パネルの組み直しが発生する頻度も高くなることが想定される。この点本発明では、かかるユニット境界部の外壁パネル間の目地に第１の発明の止水構造を適用しているため、比較的簡易な作業で止水性能を確保するという同発明の効果を大きな効果として得ることができる。
【図面の簡単な説明】
【００２６】
【図１】隣り合う建物ユニット間の境界部における建物外周部の構成を示す横断面図を示す横断面図。
【図２】（ａ）がスペーサ部材の構成を示す断面図であり、（ｂ）が正面図である。
【図３】建物全体を示す概略図。
【図４】建物ユニットを示す斜視図。
【図５】他の実施形態における目地止水構造を示す縦断面図。
【発明を実施するための形態】
【００２７】
以下に、本発明を具体化した一実施の形態について図面を参照しつつ説明する。本実施形態では、建物として、複数の建物ユニットが互いに組み合わされてなるユニット式建物について具体化している。なお、図３は建物全体を示す概略図である。
【００２８】
図３に示すように、建物１０は、基礎１１上に設けられた建物本体１２と、その建物本体１２の上方に設けられた屋根部１３とを備える。建物本体１２は、一階部分１４と二階部分１５とを有する二階建ての建物となっており、複数の建物ユニット２０が互いに連結されることにより構成されている。建物ユニット２０は製造工場においてあらかじめ製造され、その後施工現場にトラック等により搬送されるものとなっている。また、屋根部１３は、切り妻式の屋根として構成されている。
【００２９】
図４は、建物ユニット２０を示す斜視図である。図４に示すように建物ユニット２０は、その四隅に配設される４本の柱２１と、各柱２１の上端部及び下端部をそれぞれ連結する各４本の天井大梁２２及び床大梁２３とを備えている。そして、それら柱２１、天井大梁２２及び床大梁２３により直方体状の骨格（フレーム）が形成されている。柱２１は四角筒状の角形鋼よりなる。また、天井大梁２２及び床大梁２３は断面コ字状の溝形鋼よりなり、その開口部が向き合うようにして設置されている。
【００３０】
建物ユニット２０の長辺部の相対する天井大梁２２の間には、所定間隔で複数の天井小梁２５が架け渡されている。同じく建物ユニット２０の長辺部の相対する床大梁２３の間には、所定間隔で複数の床小梁２６が架け渡されている。天井小梁２５と床小梁２６とはそれぞれ同間隔でかつ各々上下に対応する位置に設けられている。例えば、天井小梁２５はリップ溝形鋼よりなり、床小梁２６は角形鋼よりなる。天井小梁２５によって天井面材２７が支持され、床小梁２６によって床面材２８が支持されている。
【００３１】
建物ユニット２０の側面には、外壁パネル１６（図１参照）や内壁パネル（図示略）が設けられている。外壁パネル１６は、建物ユニット２０の側面において横並びに複数配置されている。
【００３２】
次に、建物１０の外周部の構成について図１に基づいて説明する。図１は、隣り合う建物ユニット２０同士の境界部における建物外周部の構成を示す横断面図である。
【００３３】
図１に示すように、建物１０の外周部では、複数の外壁パネル１６が並べて配置されており、それら複数の外壁パネル１６によって外壁１７が形成されている。外壁パネル１６は、外壁面を形成する外壁面材１８と、外壁面材１８の裏面側（屋内側）に設けられた下地フレーム１９とを有しており、それら外壁面材１８と下地フレーム１９とがネジ等により接合固定されている。外壁面材１８は、窯業系サイディング材等により矩形板状に形成されている。
【００３４】
下地フレーム１９は、鋼材からなる複数のフレーム材３２，３３が矩形枠状に連結されることにより構成されている。下地フレーム１９は、外壁面材１８の幅方向の両端部において上下方向に延びる一対の縦フレーム材３２と、外壁面材１８の上下方向の両端部において横方向に延び縦フレーム材３２同士を連結する横フレーム材３３とを有している。下地フレーム１９は、建物ユニット２０の柱２１や天井大梁２２、床大梁２３（図１では図示を省略）にボルト等で固定されており、これにより外壁パネル１６が建物ユニット２０に固定されている。なお、下地フレーム１９が壁下地材に相当する。
【００３５】
次に、横並びで隣り合う外壁パネル１６の境界部の構成について説明する。ここでは特に、横並びで隣り合う建物ユニット２０の外壁パネル１６同士の境界部の構成について説明する。
【００３６】
横並びで隣り合う建物ユニット２０の外壁パネル１６同士の境界部では、互いの縦フレーム材３２が隣接して配置されている。これらの縦フレーム材３２は、コ字状に折り曲げられたコ字状部を有しており、そのコ字状部の溝部を互いに反対側に向けて配設されている。各縦フレーム材３２のコ字状部において、屋外側のフランジ部３２ａは外壁面材１８の裏面にビス等で固定されており、互いのウェブ部３２ｂは対向して配置されている。コ字状部における屋内側のフランジ部３２ｃには、屋内側に延びる固定板部３２ｄが接続されており、その固定板部３２ｄが柱２１の側面にビス等で固定されている。
【００３７】
隣り合う外壁パネル１６において外壁面材１８同士の間、及び下地フレーム１９（縦フレーム材３２）同士の間にはそれぞれ隙間が形成されており、それら各隙間によって外壁パネル１６の目地３１が形成されている。目地３１は上下方向に延びる縦目地となっており、外壁パネル１６の高さ方向全域に亘って延びている。なお、本実施形態では、目地３１の幅Ｈ１（目地幅）が、外壁面材１８同士の間、及び縦フレーム材３２同士の間のいずれにおいても同じとされている。
【００３８】
以下においては、隣接する縦フレーム材３２同士を区別するために、それら各縦フレーム材３２の符号にそれぞれＡ，Ｂを付す。また、これら各縦フレーム材３２Ａ，３２Ｂにおいて、目地３１を挟んで互いに対向し合うウェブ部３２ｂの外側面同士をそれぞれ対向面３５といい、縦フレーム材３２Ａの対向面３５の符号にはＡを付し、縦フレーム材３２Ｂの対向面３５の符号にはＢを付す。
【００３９】
目地３１には、屋内側への水の浸入を阻止するための止水処理が施されている。以下、かかる止水構造について説明する。
【００４０】
目地３１において、隣接する縦フレーム材３２同士の間にはガスケット３６が設けられている。ガスケット３６は定形シールよりなり、ＥＰＤＭ等の弾性を有する樹脂材料により形成されている。ガスケット３６は、目地３１に沿って上下方向に延びるように設けられており、このガスケット３６により縦フレーム材３２同士の間の隙間が塞がれている。
【００４１】
なお、目地３１においてガスケット３６（止水シール）よりも屋外側にさらに止水シールを設け、二重シール構造としてもよい。この場合、ガスケット３６を二次止水シール、ガスケット３６よりも屋外側の止水シールを一次止水シールということができる。一次止水シールは、例えば外壁面材１８の間に設けられ、定形シール又は不定形シール（シリコン系材料等）により形成される。
【００４２】
ところで、上述した外壁構造では、外壁パネル１６の組み付けばらつき等によって、外壁パネル１６の目地３１の幅（目地幅）Ｈ１がガスケット３６の幅に対応した所定寸法Ｋよりも大きくなってしまう場合が考えられる（Ｈ１＞Ｋ）。その場合、ガスケット３６による止水効果が不十分となって、屋内側への水の浸入を招いてしまうおそれがあるため、外壁パネル１６を再度組み付け直すことにより目地幅Ｈ１を所定寸法Ｋに調整する必要が生じうる。しかしながら、その調整作業には大きな手間がかかることが想定され、その場合施工工数の増大を招くおそれがある。
【００４３】
そこで本実施形態では、この点に鑑みて、外壁パネル１６の目地幅Ｈ１が大きくなった場合でも、外壁パネル１６を組み付け直すことなく、ガスケット３６による止水効果を十分に発揮させることができる特徴的構成を有している。以下、かかる本実施形態の特徴的構成について説明する。
【００４４】
図１に示すように、目地３１において隣接する縦フレーム材３２（下地フレーム１９）同士の間にはスペーサ部材４０が配設されている。スペーサ部材４０は、スペーサ部４１と、そのスペース部４１に一体的に設けられた弾性保持部４２とを備える。図２には、そのスペーサ部材４０の構成を示している。以下、スペーサ部材４０の構成について図１に加え図２を用いながら説明する。なお、図２は、（ａ）がスペーサ部材４０の構成を示す断面図であり、（ｂ）が正面図である。
【００４５】
図２（ａ）及び（ｂ）に示すように、スペーサ部材４０において、スペーサ部４１は、長尺状でかつ平板状の鋼板よりなり、所定の厚みｔを有して形成されている。スペーサ部４１は、その長さが縦フレーム材３２の長さと略同じとされ、その幅が縦フレーム材３２のウェブ部３２ｂの幅と略同じとされている。また、本実施形態では、スペーサ部４１が縦フレーム材３２と同じ金属材料により形成されている。
【００４６】
スペーサ部４１において一方の板面４１ａには、当該板面４１ａから突出する突出部４４が設けられている。なおここで、突出部４４が凸部に相当する。突出部４４は、スペーサ部４１の幅方向（短手方向）の中央部において、スペーサ部４１の長手方向に沿って延びるように形成されている。より詳しくは、突出部４４は、スペーサ部４１の長手方向全域に亘って連続して延びている。突出部４４は、例えば矩形断面を有する金属製の線材よりなり、スペーサ部４１の板面４１ａに溶接により固定されている。
【００４７】
なお、スペーサ部４１（及び突出部４４）は必ずしも金属材料により形成する必要はなく、耐候性に優れたＡＢＳ等の樹脂材料により形成してもよい。スペーサ部４１を樹脂材料で形成する場合、スペーサ部４１と突出部４４とを一体形成することが望ましい。
【００４８】
弾性保持部４２は、弾性材料であるゴム材により長尺状に形成されている。弾性保持部４２は、その長さがスペーサ部４１の長さよりも短くなっている。弾性保持部４２は、その横断面（詳しくは長手方向に対して直交する方向の断面）が略楕円形状（又は略円形状）をなしており、より詳しくは長手方向全域に亘って同一の横断面形状を有している。
【００４９】
弾性保持部４２は、スペーサ部４１の板面４１ａに同スペーサ部４１の長手方向に延びる向きで取り付けられている。弾性保持部４２は、スペーサ部４１の長手方向に所定の間隔で複数取り付けられている。弾性保持部４２には、その外周面に長手方向に延びる溝部４５が形成されている。この溝部４５は、弾性保持部４２の長手方向全域に亘って延びている。より詳しくは、溝部４５は、スペーサ部４１の外周面の一部において略平坦状とされた平坦面４２ａに形成されている。なお、溝部４５が凹部に相当する。
【００５０】
溝部４５には、スペーサ部４１の突出部４４が入り込んでいる。溝部４５は突出部４４と嵌合しており、これによって弾性保持部４２がスペーサ部４１に着脱可能に取り付けられている。かかる弾性保持部４２の取り付け状態では、スペーサ部４１が幅方向の両側にそれぞれ弾性保持部４２よりも延出しており、それら延出した各部分が延出部４７，４８となっている。これら各延出部４７，４８の延出長さはいずれも同じ長さとなっており、ガスケット３６の屋内外方向（目地３１の深さ方向）の長さと略同じか又はそれよりも長くなっている。
【００５１】
図１の説明に戻って、スペーサ部材４０は、隣接する縦フレーム材３２（詳しくは対向面３５）の間において、縦フレーム材３２の長手方向に延びる向きで配設されている。スペーサ部材４０において、スペーサ部４１は、その板面４１ｂ（突出部４４が設けられていない側の板面）を一方の縦フレーム材３２Ａの対向面３５Ａに重ね合わせて配置されている。弾性保持部４２は、スペーサ部４１の板面４１ａと縦フレーム材３２Ｂの対向面３５Ｂとの間に挟み込まれて圧縮された状態（弾性変形状態）で配置されている。そして、この挟み込みによって、弾性保持部４２ひいてはスペーサ部材４０が縦フレーム材３２Ａ，３２Ｂ同士の間で保持されている。
【００５２】
また、弾性保持部４２は、スペーサ部４１の板面４１ａと対向面３５Ｂとの間で圧縮された（弾性変形された）状態で配設されているため、その弾性力によってスペーサ部４１が対向面３５Ａに対して押し付けられている。この場合、スペーサ部４１の板面４１ｂを対向面３５Ａに密着させることができ、それら両者３２Ａ，４５ｂ間を通じた屋内側への水の浸入を好適に抑制することができる。
【００５３】
スペーサ部材４０の配設状態において、スペーサ部４１の板面４１ａと縦フレーム材３２Ｂの対向面３５Ｂとの隙間の幅Ｈ２はガスケット３６の幅に対応した上記所定寸法Ｋとなっている（Ｈ２＝Ｋ）。ここで、この隙間の幅Ｈ２は、目地幅Ｈ１からスペーサ部４１の厚みｔを差し引いた値に相当する（Ｈ２＝Ｈ１−ｔ）。つまり、ここでは、隙間の幅Ｈ２が所定寸法Ｋとなるようにスペーサ部４１の厚みｔが設定されている。
【００５４】
より詳しくは、本実施形態では、スペーサ部４１として、厚みｔの異なる複数種類のものが予め用意され、例えば１ｍｍ違いで厚みｔの異なる複数種類のものが用意されている。そして、外壁パネル１６の目地幅Ｈ１に応じて都度、最適な厚みｔのスペーサ部４１、すなわち隙間幅Ｈ２がＫとなる厚みｔのスペーサ部４１を選択し、それを用いるようにしている。
【００５５】
なお、図１では、スペーサ部４１の各延出部４７，４８のうち、延出部４７が弾性保持部４２よりも屋外側に延出し、延出部４８が弾性保持部４２よりも屋内側に延出している。したがって、延出部４７が屋外側延出部４７となっており、延出部４８が屋内側延出部４８となっている。
【００５６】
スペーサ部４１（屋外側延出部４７）の板面４１ａと縦フレーム材３２Ｂの対向面３５Ｂとの間にはガスケット３６が配設されている。ガスケット３６は、弾性保持部４２よりも屋外側に配置され、当該弾性保持部４２に対して屋外側から当接している。ここで上述したように、スペーサ部４１の板面４１ａと対向面３５Ｂとの隙間の幅Ｈ２は所定寸法Ｋに設定されているため、この場合、ガスケット３６による止水効果を十分に発揮させることができ、その結果目地３１を通じた屋内側への水の浸入を好適に防止することが可能となる。
【００５７】
次に、上述した目地３１の止水構造を構築する際の作業手順について簡単に説明する。
【００５８】
施工現場では、まず製造工場から搬送されてくる各建物ユニット２０をそれぞれ所定の位置に設置する作業を行う。
【００５９】
次に、目地３１に配設するスペーサ部材４０を形成（製造）する作業を行う。本実施形態では、スペーサ部材４０を構成するスペーサ部４１と弾性保持部４２とがそれぞれ個別に保管されている。具体的には、スペーサ部４１が複数重ね合わせられた状態で保管され、弾性保持部４２が複数袋詰めされた状態で保管されている。より詳しくは、スペーサ部４１については、厚みｔの異なる複数種類のものが用意されており、それらのスペーサ部４１が各厚みｔごとに個別に保管されている。
【００６０】
スペーサ部材４０の製造に際しては、まず目地３１の目地幅Ｈ１を測定する。そして、その目地幅Ｈ１に合った厚みｔのスペーサ部４１（すなわち、隙間の幅Ｈ２が所定寸法Ｋとなる厚みｔのスペーサ部４１）を選び、そのスペーサ部４１に複数の弾性保持部４２を所定の間隔で取り付けていく。この際、弾性保持部４２の溝部４５にスペーサ部４１の突出部４４を嵌め込むことで取り付けを行う。これにより、スペーサ部材４０が製造される。
【００６１】
次に、スペーサ部材４０を屋外側から目地３１に挿入し、隣り合う縦フレーム材３２の間に配設する。これにより、スペーサ部材４０がそれら縦フレーム材３２の各対向面３１Ａ，３５Ｂ間で保持される。
【００６２】
次に、ガスケット３６を屋外側からスペーサ部４１の屋外側延出部４７と縦フレーム材３２Ｂの対向面３５Ｂとの間に挿入する。これにより、ガスケット３６が目地３１に配設され、一連の作業が終了する。
【００６３】
以上、詳述した本実施形態の構成によれば、以下の優れた効果が得られる。
【００６４】
隣り合う外壁パネル１６の間の目地３１にスペーサ部材４０を配設し、そのスペーサ部材４０に縦フレーム材３２Ａの対向面３５Ａに重ね合わせられる長尺平板状のスペーサ部４１を設けた。そして、そのスペーサ部４１（の屋外側延出部４７）と他方の縦フレーム材３２Ｂの対向面３５Ｂとの間にガスケット３６を配設した。これにより、外壁パネル１６の組み付けばらつき等によって、外壁パネル１６の目地幅Ｈ１がガスケット３６の幅に対応した所定寸法Ｋより大きくなってしまった場合でも、スペーサ部４１と対向面３５Ｂとの間の隙間の幅Ｈ２を所定寸法Ｋに設定することで、ガスケット３６による止水効果を十分に発揮させることが可能となる。
【００６５】
また、スペーサ部材４０には各対向面３５Ａ，３５Ｂの間で圧縮されて挟み込まれる弾性保持部４２を設け、その挟み込みにより弾性保持部４２ひいてはスペーサ部材４０を保持させるようにした。そのため、スペーサ部材４０を目地３１に取り付ける（保持させる）際には、スペーサ部材４０を目地３１に屋外側から挿入して弾性保持部４２を各対向面３５Ａ，３５Ｂに挟み込ませるだけでよい。これにより、外壁パネル１６間の目地幅Ｈ１が大きくなった場合でも、外壁パネル１６を組み直すことで目地幅Ｈ１を調整する場合と比べて、簡単な作業で目地３１の止水性能を確保することができる。
【００６６】
スペーサ部４１には突出部４４を設け、弾性保持部４２には溝部４５を設け、それら突出部４４及び溝部４５の嵌合によって両者４１，４２を一体化させた。そのため、スペーサ部４１と弾性保持部４２とをそれぞれ個別に保管しておき、施工現場でそれら両者４１，４２を一体化させてスペーサ部材４０を形成（製造）することができる。このように、スペーサ部４１と弾性保持部４２とを個別に保管することは、スペーサ部材４０を保管する上で好都合であり、例えばスペーサ部４１を重ね合わせて保管することで保管スペースの削減を図れる等の利点が得られる。
【００６７】
弾性保持部４２をスペーサ部４１の長手方向に所定の間隔で複数配置し、それら各弾性保持部４２をそれぞれスペーサ部４１に対して溝部４５を突出部４４に嵌合させることで取り付けるようにした。これにより、弾性保持部４２の個数（又は取付間隔）を調整することによってスペーサ部材４０を目地３１に挿入する際の抵抗の大きさを調整することができ、その結果スペーサ部材４０の目地３１への挿入作業を好適に行うことが可能となる。
【００６８】
スペーサ部４１に、弾性保持部４２よりも屋内側に延出した屋内側延出部４８を設けたため、スペーサ部材４０を目地３１に挿入する際には、その屋内側延出部４８を挿入先として挿入することができる。この場合、弾性保持部４２を挿入先としてスペーサ部材４０を目地３１に挿入する場合と比べて、目地３１に対するスペーサ部材４０の配設作業をし易くすることができる。
【００６９】
弾性保持部４２の横断面を楕円形状としたため、スペーサ部材４０を目地３１に挿入する際、弾性保持部４２が外壁面材１８の端面（特に屋外側の角部）や対向面３５Ａ，３５Ｂ等で引っ掛かるのを抑制することができ、その挿入作業をし易くすることができる。
【００７０】
ガスケット３６を、目地３１に沿って長尺状に延びる弾性保持部４２に屋外側から当接させて設け、その当接によってガスケット３６の屋内側への入り込みを規制した。これにより、ガスケット３６を屋外側からスペーサ部４１（の屋外側延出部４７）と他方の対向面３５Ｂとの間に挿入する際、ガスケット３６を弾性保持部４２に当接させればそれ以上ガスケット３６が屋内側に入り込むのを規制することができるため、ガスケット３６の挿入作業をし易くすることができる。
【００７１】
ユニット式の建物１０では、建物ユニット２０の側面に外壁パネル１６が予め製造工場で取り付けられ、その建物ユニット２０が施工現場で複数設置されることにより外壁パネル１６が並べられて外壁１７が構築される。このような建物１０では、隣り合う建物ユニット２０の外壁パネル１６間の目地３１の幅（目地幅Ｈ１）にばらつきが生じ易いと考えられ、そのため目地幅Ｈ１が大きくなって外壁パネル１６の組み直しが発生する頻度も高くなることが想定される。この点、上記の実施形態では、かかる目地３１に対してスペーサ部材４０を用いた止水構造を構築しているため、比較的簡易な作業で止水性能を確保するという上述の効果を大きな効果として得ることができる。
【００７２】
本発明は上記実施形態に限らず、例えば次のように実施されてもよい。
【００７３】
（１）上記実施形態では、スペーサ部４１に突出部４４（凸部）を設け、弾性保持部４２に溝部４５（凹部）を設けたが、これを逆にして、スペーサ部４１に凹部を設け、弾性保持部４２に凸部を設けてもよい。この場合でも、凹部と凸部との嵌合によりスペーサ部４１と弾性保持部４２とを一体化させることができる。
【００７４】
また、上記実施形態では、突出部４４と溝部４５との嵌合によって、弾性保持部４２をスペーサ部４１に着脱可能に取り付けたが、弾性保持部４２をスペーサ部４１に接着剤等により固定し着脱不能としてもよい。
【００７５】
（２）上記実施形態では、弾性保持部４２をスペーサ部４１の板面４１ａに取り付けたが、これを変更して、弾性保持部４２をスペーサ部４１の屋内側の端面に取り付けてもよい。その場合、弾性保持部４２を各縦フレーム材３２Ａ，３２Ｂの対向面３５Ａ，３５Ｂの間で挟み込むことで、弾性保持部４２ひいてはスペーサ部材４０を保持するようにすればよい。また、このような構成であっても、スペーサ部４１がガスケット３６の弾力によって対向面３５Ａに押し付けられることから、スペーサ部４１の板面４１ｂと対向面３５Ａとの間を通じた屋内側への水の浸入を抑制することができる。
【００７６】
（３）上記実施形態では、スペーサ部４１に複数の弾性保持部４２を取り付けるようにしたが、これを変更して、例えばスペーサ部４１と略同じ長さを有する一の弾性保持部４２のみをスペーサ部４１に取り付けるようにしてもよい。
【００７７】
また、弾性保持部４２は必ずしも長尺状とする必要はなく、例えば球状又はブロック状とし、それをスペーサ部４１の長手方向において複数箇所に取り付けてもよい。さらに、弾性保持部４２の横断面形状を、楕円形状に代えて、矩形形状や三角形状等他の形状としてもよい。
【００７８】
（４）弾性保持部４２は必ずしもゴム材により形成する必要はなく、弾性を有する樹脂材料や、ばね板等他の材料で形成してもよい。ばね板で形成する場合には、例えばばね板をＵ字状又はコ字状に折り曲げて弾性保持部を形成し、その弾性保持部において溝部を挟んで互いに向き合う各板部のうち一方をスペーサ部４１の板面４１ａに固定することが考えられる。その場合、各板部を互いに近づく側に撓ませた（弾性変形させた）状態で弾性保持部を各対向面３５Ａ，３５Ｂの間に配設することで、弾性保持部をそれら両者３５Ａ，３５Ｂ間で保持できる。
【００７９】
（５）スペーサ部材４０において、スペーサ部４１の板面４１ｂに止水シートを重ね合わせて設けてもよい。止水シートは、例えば塩化ビニル等の耐水性を有する材料よりなり、スペーサ部４１と同じ長さでかつ同じ幅で形成される。止水シートは、スペーサ部４１の板面４１ｂに接着剤により貼り付けられて固定される。
【００８０】
かかる構成では、スペーサ部材４０が縦フレーム材３２同士の間に配設されると、止水シートがスペーサ部４１の板面４１ｂと縦フレーム材３２Ａの対向面３５Ａとの間に挟み込まれた状態で設けられるため、それら両者４１ｂ，３５Ａ間を通じた水の浸入を確実に防止することが可能となる。また、スペーサ部４１は弾性保持部４２の弾性力によって対向面３５側に押し付けられているため、その弾性力を利用して止水シートをスペーサ部４１と対向面３５との間で挟み込むことができ、その結果両者４１ｂ，３５Ａ間を通じた水の浸入をより一層確実に防止することが可能となる。
【００８１】
（６）上記実施形態では、横並びで隣り合う建物ユニット２０の外壁パネル１６間の目地３１（縦目地）に本発明の目地止水構造を適用したが、上下に隣り合う建物ユニット２０の外壁パネル１６間の目地すなわち横目地に本発明を適用してもよい。この場合、かかる横目地において隣接する横フレーム材３３同士の間の隙間にガスケットをスペーサ部材４０を用いて配設することが考えられる。上下に隣り合う建物ユニット２０の外壁パネル１６間の（横）目地も、外壁パネル１６の組み付けばらつき等によって、目地幅が大きくばらつくことが想定されるため、かかる目地に本発明を適用することの効果は大きいといえる。
【００８２】
また、建物ユニット２０の一の側面部において隣り合う外壁パネル１６間の目地に本発明の止水構造を適用してもよい。
【００８３】
（７）上記実施形態の建物１０では、屋根部１３の妻壁が横並びに設けられた複数の妻壁パネルによって構成されている。この場合、図５に示すように、妻壁パネルと、二階部分１５の外壁パネル１６とが上下に並んで設けられており、それら両パネル１６，５５間に横目地からなる目地５６が形成されている。そこで、図５では、かかる目地５６に対して本発明の止水構造を適用しており、以下ではその止水構造について説明する。
【００８４】
妻壁パネル５５は、妻壁の壁面（外壁面）を形成する壁面材５８と、その裏面側（屋内側）に設けられるフレーム材５９とを備える。壁面材５８は、外壁面材１８と同じ窯業系サイディング材よりなる。フレーム材５９は、鋼板が折り曲げられることにより形成され、壁面材５８の下端部に沿って延びるように設けられている。フレーム材５９は、壁面材５８の裏面に対向する対向板部５９ａと、対向板部５９ａの下端部から屋内側に延びる横板部５９ｂと、横板部５９ｂの屋内側の端部から下方に延びる縦板部５９ｃと、縦板部５９ｃの下端部から屋内側に延び建物ユニット２０の天井大梁２２（詳しくはその上フランジ）上面に固定される固定板部５９ｄとを有する。固定板部５９ｄは天井大梁２２の上面にボルト６３及びナット６４を用いて固定され、これによりフレーム材５９ひいては妻壁パネル５５が天井大梁２２に固定されている。なお、この場合、フレーム材５９が壁下地材に相当する。
【００８５】
なお、壁面材５８とフレーム材５９との間には止水シート６１が挟み込まれており、その挟み込み状態でフレーム材５９と壁面材５８とがネジ等により互いに接合固定されている。これにより、壁面材５８とフレーム材５９との間を通じて水が屋内側に入り込むことが防止されている。
【００８６】
外壁パネル１６において外壁面材１８の上端部に沿って延びる横フレーム材３３は妻壁パネル５５のフレーム材５９と上下に並んで配置されている。この横フレーム材３３は、外壁面材１８の裏面に固定された固定板部３３ａと、その固定板部３３ａの上端部から屋内側に延びてフレーム材５９の横板部５９ｂと上下に対向する対向板部３３ｂとを有する。
【００８７】
妻壁パネル５５と外壁パネル１６との間の目地５６において、壁面材５８及び外壁面材１８の間には不定形シールよりなる一次止水シール６６が配設されており、フレーム材５９と横フレーム材３３との間には定形シールよりなる二次止水シール６７（ガスケットに相当）が配設されている。これにより、目地５６では二重シール構造が実現されており、止水効果が高められている。
【００８８】
フレーム材５９と横フレーム材３３との間にはスペーサ部材４０が配設されている。スペーサ部材４０は、スペーサ部４１の板面４１ｂをフレーム材５９の横板部５９ｂの下面に重ね合わせた状態で配設され、その配設状態において弾性保持部４２がスペーサ部４１の板面４１ａと横フレーム材３３の対向板部３３ｂの上面との間に圧縮された状態で挟み込まれている。これにより、弾性保持部４２がフレーム材５９と横フレーム材３３との間で保持されており、ひいてはスペーサ部材４０が保持されている。
【００８９】
二次止水シール６７は、スペーサ部４１の屋外側延出部４７と横フレーム材３３の対向板部３３ｂとの間に配設されている。これにより、目地５６における止水性能が確保されている。
【００９０】
上記の構成によれば、外壁パネル１６や、妻壁パネル５５の組み付けばらつき等によって目地５６の幅（目地幅）が大きくなってしまった場合でも、スペーサ部材４０を用いて二次止水シール６７を配設するといった比較的簡易な作業により、目地５６の止水性能を確保することができる。
【００９１】
（８）上記実施形態では、外壁パネル１６間の目地３１において、隣接する下地フレーム１９の間に設けられるガスケット３６に対して本発明の目地止水構造を適用したが、例えば外壁面材１８として、その厚みが大きなものが用いられている場合には、隣接する外壁面材の間に設けられるガスケットに本発明を適用してもよい。
【００９２】
（９）上記実施形態では、ユニット式建物への適用例を説明したが、鉄骨軸組工法により構築される建物等、他の構造の建物にも本発明を適用できる。要するに、外壁パネルが並べて設けられている建物であれば、隣り合う外壁パネル間の目地に本発明の止水構造を適用することが可能である。
【符号の説明】
【００９３】
１０…建物、１６…外壁パネル、１７…外壁、２０…建物ユニット、３１…目地、３５…対向面、３６…ガスケット、４０…スペーサ部材、４１…スペーサ部、４２…弾性保持部、４４…凸部としての突出部、４５…凹部としての溝部、４７…屋外側延出部、４８…屋内側延出部。
【図１】
2014177772.tif 000003
【図２】
2014177772.tif 000004
【図３】
2014177772.tif 000005
【図４】
2014177772.tif 000006
【図５】
2014177772.tif 000007